(57)【特許請求の範囲】
【請求項１】
吊上げ対象となる外壁材が、屋内側および屋外側の表面のうちの片方の表面の上端付近に幅方向に延びる溝状凹部を有し、もう片方の表面の上端の角に幅方向に延びる切欠状凹部を有する外壁材である外壁材吊上げ用治具であって、
第１および第２の垂下部とこれら両垂下部の上端間に続く主部とでなる下向きＵ字状に形成されて前記外壁材の上端部に被さる治具本体を有し、前記主部は吊索を掛ける吊索掛け部を有し、前記第１の垂下部は、前記外壁材の前記溝状凹部側に位置し、かつ前記溝状凹部の上縁に係合する溝側当接部が設けられ、前記第２の垂下部は、前記外壁材の前記切欠状凹部側に位置し、かつ下部から壁厚さ方向の内向き上方に延びて壁厚さ方向に回動自在な回動片が取り付けられ、この回動片の上端に切欠側当接部が設けられ、前記切欠側当接部が前記外壁材の前記切欠状凹部の縦面に当接した状態に保持する当接状態保持手段を設けたことを特徴とする外壁材吊上げ用治具。
【請求項２】
請求項１に記載の外壁材吊上げ用治具において、前記外壁材は、屋内側および屋外側の表層部をそれぞれ構成する２つの金属板の間に断熱材を介在させた外壁パネルである外壁材吊上げ用治具。
【請求項３】
請求項１または請求項２に記載の外壁材吊上げ用治具において、前記当接状態保持手段は、前記切欠側当接部が前記外壁材の前記切欠状凹部の前記縦面から離れる方向に前記回動片が回動するのを規制する規制体を有する外壁材吊上げ用治具。
【請求項４】
請求項１または請求項２に記載の外壁材吊上げ用治具において、前記当接状態保持手段は、前記切欠側当接部を前記外壁材の前記切欠状凹部の前記縦面に押し付ける方向に前記回動片を直接または間接的に付勢するばね部材を有する外壁材吊上げ用治具。
【請求項５】
請求項１または請求項２に記載の外壁材吊上げ用治具において、前記当接状態保持手段は、前記切欠側当接部が前記外壁材の前記切欠状凹部の縦面に当接した状態に前記回動片を直接または間接的に固定する固定部材を有する外壁材吊上げ用治具。
【請求項６】
請求項１ないし請求項５のいずれか１項に記載の外壁材吊上げ用治具において、前記溝側当接部および切欠側当接部が緩衝材からなる外壁材吊上げ用治具。
【請求項７】
請求項１ないし請求項６のいずれか１項に記載の外壁材吊上げ用治具において、前記治具本体が前記外壁材の幅方向に並んで複数設けられ、これら複数の治具本体の前記溝側当接部および切欠側当接部は、互いに繋がった壁幅方向に長い棒状の部材である外壁材吊上げ用治具。
【発明の詳細な説明】
【技術分野】
【０００１】
この発明は、外壁材を建築現場の仮置き場から建物躯体まで吊り上げて移動させるとき等に用いられる外壁材吊上げ用治具に関する。
【背景技術】
【０００２】
物流施設、コンビニエンスストア等の建物の外壁に用いられる外壁材として、図８のように、屋外側および屋内側の２枚の金属板２１，２２で断熱材２３を挟み込んだ外壁パネルが多く用いられる。この種の外壁パネルからなる外壁材２０は大きくて重いため、仮置き場から建物躯体の近傍までクレーン等で吊り上げて移動させることが多い。その場合、一般的には、図９のように、金属板２１，２２における建て込み時に上側となる縁部に孔Ｈを開けてボルト２５を挿通し、このボルト２５に掛けたワイヤ２７にクレーンのフック２８を引っ掛けて、外壁材２０を吊り上げている。
【０００３】
外壁材に孔を開けることなく取り付けられる外壁材吊上げ用の治具が特許文献１，２に提案されている。これらの治具は、外壁材の上枠材を下から支えることで外壁材を吊り上げる構成である。
【先行技術文献】
【特許文献】
【０００４】
【特許文献１】特開平１１−１１８５４号公報
【特許文献２】特開２００８−２７４７１５号公報
【発明の概要】
【発明が解決しようとする課題】
【０００５】
外壁材２０にボルト２５を挿通して吊り上げる従来の方法では、ボルト挿通用の孔Ｈにかかる荷重が金属板２１，２２の強度限界を超えないように十分な安全率を持たせるため、通常の吊上げ作業で金属板２１，２２の孔Ｈの周辺部が変形することはない。また、孔Ｈが開けられる金属板２１，２２の縁部は、建て込み状態では上側の外壁材２０の金属板２１，２２の下端部が被せられ外部に露出しないため、通常では孔Ｈから水が浸入する等の不都合は生じない。
【０００６】
しかし、何らかの事情で外壁材２０に大きな力が加わった場合、金属板２１，２２の孔Ｈの周辺部が変形する可能性があり、また台風等の強い風雨では孔Ｈから水が浸入する可能性も皆無とは言えない。そして何よりも、完成品である外壁材２０に一種の傷である孔Ｈを開けるのは好ましくない。しかも、外壁材２０に孔Ｈを開けてボルト２５等を取り付けるという工程を現場で行うのは、現場作業の負担増となる。
【０００７】
特許文献１、２に記載の外壁材吊上げ用の治具は、上枠材を有する外壁材には適用できるが、図８のような上枠材を有しないパネル形状の外壁材には適用できない。
【０００８】
この発明の目的は、上枠材を有しない外壁材であっても、孔を開けたり傷を付けたりすることなく、簡単な操作で吊り上げることができる外壁材吊上げ用治具を提供することである。
【課題を解決するための手段】
【０００９】
この発明の外壁材吊上げ用治具は、吊上げ対象となる外壁材が、屋内側および屋外側の表面のうちの片方の表面の上端付近に幅方向に延びる溝状凹部を有し、もう片方の表面の上端の角に幅方向に延びる切欠状凹部を有する外壁材である場合に適用される。この外壁材吊上げ用治具は、第１および第２の垂下部とこれら両垂下部の上端間に続く主部とでなる下向きＵ字状に形成されて前記外壁材の上端部に被さる治具本体を有し、前記主部は吊索を掛ける吊索掛け部を有し、前記第１の垂下部は、前記外壁材の前記溝状凹部側に位置し、かつ前記溝状凹部の上縁に係合する溝側当接部が設けられ、前記第２の垂下部は、前記外壁材の前記切欠状凹部側に位置し、かつ下部から壁厚さ方向の内向き上方に延びて壁厚さ方向に回動自在な回動片が取り付けられ、この回動片の上端に切欠側当接部が設けられ、前記切欠側当接部が前記外壁材の前記切欠状凹部の縦面に当接した状態に保持する当接状態保持手段を設けたことを特徴とする。
【００１０】
この外壁材吊上げ用治具は、第１の垂下部が外壁材の溝状凹部側に位置し、かつ第２の垂下部が外壁材の切欠状凹部側に位置するように、治具本体を外壁材の上端部に被せる。そして、第１の垂下部の溝側当接部を外壁材の溝状凹部の上縁に係合させ、第２の垂下部に設けられた回動片の切欠側当接部を外壁材の切欠状凹部の縦面に当接させる。当接状態保持手段により、前記切欠側当接部が前記縦面に当接した状態に保持される。
この状態で吊索掛け部に掛けた吊索を上へ引くと、溝側当接部と外壁材の接点すなわち溝状凹部の上縁を支点にして治具本体が上方に回動する。それに伴って切欠側当接部が切欠状凹部の縦面に強く押し当てられて、前記縦面と切欠側当接部との間に摩擦力が作用する。このように、溝側当接部と切欠側当接部とで外壁材の両面を挟持した状態で、さらに吊索を上へ引くことで、外壁材吊上げ用治具を介して外壁材が吊り上げられる。これにより、外壁材に孔を開けたり傷を付けたりすることなく、外壁材を吊り上げることができる。上記外壁材吊上げ用治具の操作は簡単であり、かつ他の部材が不要であるため、外壁材の吊上げ作業の効率化を図ることができる。
【００１１】
この発明において、前記外壁材は、屋内側および屋外側の表層部をそれぞれ構成する２つの金属板の間に断熱材を介在させた外壁パネルであっても良い。
この種の外壁パネルは一般的に大きくて重いが、この外壁材吊上げ用治具を用いることで、孔を開けたり傷を付けたりすることなく吊り上げることができる
【００１２】
この発明において、前記当接状態保持手段は、前記切欠側当接部が前記外壁材の前記切欠状凹部の前記縦面から離れる方向に前記回動片が回動するのを規制する規制体を有する構成であっても良い。また、前記切欠側当接部を前記外壁材の前記切欠状凹部の前記縦面に押し付ける方向に前記回動片を直接または間接的に付勢するばね部材を有する構成であって良い。さらに、前記切欠側当接部が前記外壁材の前記切欠状凹部の縦面に当接した状態に前記回動片を直接または間接的に固定する固定部材を有する構成であっても良い。
いずれの構成であっても、前記切欠側当接部が前記外壁材の前記切欠状凹部の縦面に当接した状態に保持することができる。
【００１３】
この発明において、前記溝側当接部および切欠側当接部が緩衝材からなっていても良い。これにより、外壁材が傷付くことを防げる。
【００１４】
この発明において、前記治具本体が前記外壁材の幅方向に並んで複数設けられ、これら複数の治具本体の前記溝側当接部および切欠側当接部は、互いに繋がった壁幅方向に長い棒状の部材であっても良い。
この場合、複数の治具本体を溝側当接部で互いに連結し、かつ各治具本体に設けられた回動片を切欠側当接部で互いに連結したため、枠状の剛構造となり強度が高い。複数の治具本体と、これら複数の治具本体を互いに連結する溝側当接部および切欠側当接部とで剛構造が構成されるため、外壁材吊上げ用治具の強度が向上する。また、溝側当接部および切欠側当接部が壁幅方向に長い棒状であるため、外壁材と接する壁幅方向の長さが長く、外壁材を安定して吊り上げることができる。
【発明の効果】
【００１５】
この発明の外壁材吊上げ用治具は、吊上げ対象となる外壁材が、屋内側および屋外側の表面のうちの片方の表面の上端付近に幅方向に延びる溝状凹部を有し、もう片方の表面の上端の角に幅方向に延びる切欠状凹部を有する外壁材であり、第１および第２の垂下部とこれら両垂下部の上端間に続く主部とでなる下向きＵ字状に形成されて前記外壁材の上端部に被さる治具本体を有し、前記主部は吊索を掛ける吊索掛け部を有し、前記第１の垂下部は、前記外壁材の前記溝状凹部側に位置し、かつ前記溝状凹部の上縁に係合する溝側当接部が設けられ、前記第２の垂下部は、前記外壁材の前記切欠状凹部側に位置し、かつ下部から壁厚さ方向の内向き上方に延びて壁厚さ方向に回動自在な回動片が取り付けられ、この回動片の上端に切欠側当接部が設けられ、前記切欠側当接部が前記外壁材の前記切欠状凹部の縦面に当接した状態に保持する当接状態保持手段を設けたため、上枠材を有しない外壁材であっても、孔を開けたり傷を付けたりすることなく、簡単な操作で吊り上げることができる。
【図面の簡単な説明】
【００１６】
【図１】（Ａ）はこの発明の一実施形態にかかる外壁材吊上げ用治具の正面図、（Ｂ）はその平面図、（Ｃ）はその側面図である。
【図２】図１の外壁材吊上げ用治具による外壁材の吊上げ動作の説明図である。
【図３】（Ａ）はこの発明の異なる実施形態にかかる外壁材吊上げ用治具の正面図、（Ｂ）はその平面図、（Ｃ）はその側面図である。
【図４】この発明のさらに異なる実施形態にかかる外壁材吊上げ用治具の側面図である。
【図５】この発明のさらに異なる実施形態にかかる外壁材吊上げ用治具の側面図である。
【図６】この発明のさらに異なる実施形態にかかる外壁材吊上げ用治具の側面図である。
【図７】この発明の外壁材吊上げ用治具を用いて外壁材を吊り上げる過程を示す説明図である。
【図８】外壁材の上端部の断面図である。
【図９】従来の外壁材吊上げ方法を示す説明図である。
【発明を実施するための形態】
【００１７】
この発明の一実施形態を図面と共に説明する。
図１はこの発明の一実施形態にかかる外壁材吊上げ用治具の正面図、平面図、および側面図である。この外壁材吊上げ用治具１は、並列に配置された２つの治具本体２と、各治具本体２のそれぞれに設けられた回動片３および規制体４と、２つの治具本体２および回動片３にわたってそれぞれ設けられた溝側当接部５および切欠側当接部６とで構成される。前記２つの治具本体２は、互いに同一形状または対称形状である。前記規制体４は、請求項で言う「当接状態保持手段」である。以下の説明では、２つの治具本体２の並び方向を壁幅方向、この壁幅方向と垂直な水平方向を壁厚さ方向とする。
【００１８】
前記治具本体２は金属材からなる板状の部材であり、対象とする外壁材２０の厚さ以上の壁厚さ方向寸法を有する主部１０と、この主部１０の壁厚さ方向の両端から下方に延びる第１および第２の垂下部１１，１２とからなる下向きＵ字状である。詳しくは、第１の垂下部１１は、主部１０から垂直に下方に延びているのに対し、第２の垂下部１２は、主部１０から壁厚さ方向の内側に斜め下方に延びている。２つの治具本体２の主部１０の間に渡り、吊索を掛けるための丸棒状の吊索掛け部１３が設けられている。吊索掛け部１３の壁厚さ方向の位置は、第２の垂下部１２よりも第１の垂下部１１の側に偏らせてある。
【００１９】
前記溝側当接部５は、断面多角形、例えば四角形の幅方向に長い棒状の部材であり、両端に近い２箇所で各治具本体２の第１の垂下部１１における壁厚さ方向内側の側面にそれぞれ固定されている。溝側当接部５は、後述する外壁材２０の表面に設けられる金属板２１，２２と比較して柔らかい材質でできた緩衝材からなる。緩衝材である溝側当接部５の材質は、例えばプラスチック、ゴム等である。
【００２０】
前記回動片３はアーム状であって、第２の垂下部１２の下端に、壁幅方向の支持軸１４により回動自在に支持されている。そして、各回動片３の先端に、前記切欠側当接部６が設けられている。切欠側当接部６は、断面多角形、例えば四角形の幅方向に長い棒状の部材であり、両端に近い２箇所で各回動片３にそれぞれ固定されている。切欠側当接部６も、溝側当接部５と同様の緩衝材からなる。
【００２１】
前記規制体４は、後述するように回動片３の回動を規制するためのものであり、この実施形態では、回動片３と同じ壁幅方向の位置に設けられ、回転支持軸１５の回りを回転可能な円形偏心板からなる。規制体４の回転支持軸１５は、第２の垂下部１２の基部付近に位置している。
【００２２】
この外壁材吊上げ用治具１の取付け対象となる外壁材２０は、例えば図８に示すように、屋内側および屋外側の表層部をそれぞれ構成する２枚の金属板２１，２２で断熱材２３を挟み込んだ外壁パネルである。金属板２１，２２は、メッキ鋼板、アルミニウム板等である。断熱材２３は、ロックウール、発泡スチロール、ウレタン等である。この外壁材２０は、物流施設等の鉄骨系建物等における外壁材として用いられる。
【００２３】
外壁材２０の上端部の屋外側面は、屋外側の金属板２１を折り曲げ加工して、他の箇所よりも壁厚さ方向内側に後退した後退部２５になっている。さらに、この後退部２５の上下中央部は、幅方向に延びる溝状凹部２６となっている。また、外壁材２０の上端部の屋内側面は、屋内側の金属板２２を折り曲げ加工して、他の箇所よりも壁厚さ方向内側に後退して幅方向に延びる切欠状凹部２７になっている。溝状凹部２６の上縁２６ａと切欠状凹部２７の段部２７ａの高さ位置を比較すると、段部２７ａの方が若干高くなっている。これら屋外側の後退部２５および屋内側の切欠状凹部２７は、外壁材２０を上下に重ね合わせたときに、上側の外壁材２０の金属板２１，２２の下端部が嵌り込む箇所である。金属板２１，２２の上端側の先端には、内側に屈曲したリップ部２１ａ，２２ａが形成されている。
【００２４】
外壁材吊上げ用治具１による外壁材２０の吊上げ動作を図２と共に説明する。ここでは、屋外側の面を上にして平積みされている外壁材２０を吊り上げる場合を例にとる。
【００２５】
同図（Ａ）のように、第１の垂下部１１を上側にして、治具本体２を外壁材２０の上端部に被せる。外壁材２０の上端部は、外壁材２０を吊上げたときに上側となる端部のことである。このとき、円形偏心板からなる規制体４は、自重により回転支持軸１５から外周までの距離が長い部分である大径部が下方に位置する姿勢となり、また回動片３は、先端が前記規制体４により下から支えられた姿勢となっている。この状態から、吊索掛け部１３に掛けた吊索（図示せず）を上へ引くと、第２の垂下部１２により下から押されて、同図（Ｂ）のように外壁材２０が起立する。
【００２６】
外壁材２０が起立したら、指等により規制体４を回転させて、同図（Ｃ）のように、規制体４の大径部が外壁材２０の側に位置する姿勢にする。これに伴い、回動片３が外壁材２０の側に回動し、回動片３に設けられた切欠側当接部６が外壁材２０の切欠状凹部２７の縦面２７ｂに当接する。このとき、規制体４の大径部の重量で回動片３の回動を規制して、切欠側当接部６が切欠状凹部２７から外れることを防止している。また、切欠側当接部６により外壁材２０を第１の垂下部１１の側に押すことで、第１の垂下部１１に設けられた溝側当接部５が外壁材２０の溝状凹部２６の上縁に係合する。
【００２７】
この状態で、吊索を上へ引くと、同図（Ｄ）のように、溝側当接部５と外壁材２０の接点すなわち溝状凹部２６の上縁２６ａを支点にして治具本体２が上方に回動する。それに伴って切欠側当接部６が切欠状凹部２７の縦面２７ｂに強く押し当てられて、前記縦面２７ｂと切欠側当接部６との間に摩擦力が作用する。このように、溝側当接部５と切欠側当接部６とで外壁材２０の両面を挟持した状態で、さらに吊索を上へ引くことで、外壁材吊上げ用治具１を介して外壁材２０が吊り上げられる。なお、同図（Ｄ）では、切欠側当接部６が切欠状凹部２７の縦面２７ｂに食い込んでいるように図示してあるが、切欠側当接部６は比較的柔らかい緩衝材からなるため、実際には食い込むわけではない。
【００２８】
このように、溝側当接部５と切欠側当接部６とで外壁材２０の両面を挟持して吊り上げるため、外壁材２０に孔を開けたり傷を付けたりしなくて済む。また、溝側当接部５と切欠側当接部６とで外壁材２０を強固に挟持することができるため、図８に示すような、大きくて重い外壁パネルからなる外壁材２０も吊り上げることができる。上記外壁材吊上げ用治具１の操作は簡単であり、かつ他の部材が不要であるため、外壁材２０の吊上げ作業の効率化を図ることができる。
【００２９】
横幅の広い外壁材２０を吊り上げる場合は、例えば図７に示すように、外壁材２０の壁幅方向の２箇所に外壁材吊上げ用治具１を配置し、各外壁材吊上げ用治具１の吊索掛け部１３にクレーン等の吊索３０を引っ掛けて吊り上げる。
【００３０】
この実施形態の外壁材吊上げ用治具１は、２つの治具本体２を備え、これら２つの治具本体２を吊索掛け部１３および溝側当接部５で互いに連結し、かつ各治具本体２に設けられた回動片３を切欠側当接部６で互いに連結したため、枠状の剛構造となり強度が高い。また、溝側当接部５および切欠側当接部６が壁幅方向に長い棒状であるため、外壁材２０と接する壁幅方向の長さが長く、外壁材２０を安定して吊り上げることができる。ただし、治具本体２は１つだけであっても良く、３つ以上であっても良い。
【００３１】
上記実施形態の外壁材吊上げ用治具１は、当接状態保持手段が円形偏心板からなる規制体４である、当接状態保持手段はこれ以外の形態であっても良い。
図３に示す外壁材吊上げ用治具１は、当接状態保持手段がばね部材３０からなる。ばね部材３０はねじりコイルばねであり、回動片３の支持軸１４の外周に設けられ、両端が第２の垂下部１２と回動片３にそれぞれ係止されている。ばね部材３０の弾性復元力により、切欠側当接部６を外壁材２０の切欠状凹部２７の縦面２７ｂに押し付ける方向に回動片３を付勢している。この場合も、前記切欠側当接部６が前記縦面２７ｂに当接した状態に保持することができる。
【００３２】
図３に示す例は、ばね部材３０により回動片３を直接に付勢しているが、図４に示す例のように、ばね部材３１により規制体４を介して回動片３を間接的に付勢しても良い。この場合のばね部材３１は引っ張りコイルばねであり、回動片３の支持軸１４と、規制体４の大径部に設けたばね支持軸３２との間に配置されて、規制体４を介して、前記同様に切欠側当接部６を外壁材２０の切欠状凹部２７の縦面２７ｂに押し付ける方向に回動片３を付勢している。
【００３３】
図５に示す外壁材吊上げ用治具１は、当接状態保持手段を、切欠側当接部６が外壁材２０の切欠状凹部２７の縦面２７ｂに当接した状態に回動片３を固定する固定部材３３としている。固定部材３３は、例えばピンであり、第２の垂下部１２および回動片３にそれぞれ設けられた貫通孔に挿脱可能である。切欠側当接部６を縦面２７ｂに当接させた状態で前記各貫通孔に固定部材３３を挿入することで、固定部材３３を当接状態に固定する。
【００３４】
図５に示す例は、固定部材３３により回動片３を直接に固定しているが、図６に示す例のように、固定部材３４により規制体４を介して回動片３を間接的に固定しても良い。この場合、第２の垂下部１２および規制体４にそれぞれ設けられた貫通孔に固定部材３４を挿入する。これにより、第２の垂下部１２に対して規制体４が固定され、規制体４により回動片３を、切欠側当接部６が外壁材２０の切欠状凹部２７の縦面２７ｂに当接した状態に固定する。
【符号の説明】
【００３５】
１…外壁材吊上げ用治具
２…治具本体
３…回動片
４…規制体（当接状態保持手段）
５…溝側当接部
６…切欠側当接部
１０…主部
１１…第１の垂下部
１２…第２の垂下部
２０…外壁材
２１，２２…金属板
２３…断熱材
２６…溝状凹部
２６ａ…上縁
２７…切欠状凹部
２７ｂ…縦面
３０，３１…ばね部材（当接状態保持手段）
３３，３４…固定部材（当接状態保持手段）
【図１】
0006342246.tif 000002
【図２】
0006342246.tif 000003
【図３】
0006342246.tif 000004
【図４】
0006342246.tif 000005
【図５】
0006342246.tif 000006
【図６】
0006342246.tif 000007
【図７】
0006342246.tif 000008
【図８】
0006342246.tif 000009
【図９】
0006342246.tif 000010